(57)【要約】【課題】帯電部を洗浄した際に帯電部内に水が溜まりにくく、また万が一水が溜まってしまったとしてもこの水をすぐに揮発させることができる空気清浄気を提供する。【解決手段】放電部１８と対極部２２とを有し、放電部１８から対極部２２への放電により粉塵を帯電させる帯電部１０を備える。帯電した粉塵を捕集するための集塵部１１を備える。帯電部１０及び集塵部１１に空気を送る送風部８を備える。前記帯電部１０に放電部１８及び対極部２２とを支持するための電極枠１５を備える。放電部１８を電極枠１５に設けた支持部材２０を介して支持する。該支持部材２０を支持部材２０と電極枠１５との間に隙間Ａができるように形成する。【選択図】　　　　図１
2004016943.tif 000002
【特許請求の範囲】
【請求項１】
放電部と対極部とを有し、放電部から対極部への放電により粉塵を帯電させる帯電部と、帯電した粉塵を捕集するための集塵部と、帯電部及び集塵部に空気を送る送風部とを備え、前記帯電部に放電部及び対極部とを支持するための電極枠を備えた空気清浄気において、放電部を電極枠に設けた支持部材を介して支持し、該支持部材を支持部材と電極枠との間に隙間ができるように形成して成ることを特徴とする空気清浄器。
【請求項２】
上記帯電部の支持部材と電極枠との間に形成された隙間の上流側に位置する箇所に空気流入孔を形成して成ることを特徴とする請求項１記載の空気清浄器。
【請求項３】
上記帯電部の支持部材と電極枠との間に形成された隙間の下流側に位置する箇所に空気流出孔を形成して成ることを特徴とする請求項２記載の空気清浄器。
【発明の詳細な説明】
【０００１】
【発明の属する技術分野】
本発明は、室内空気中に含まれる粉塵や臭気等を除去して空気の清浄化を行う空気清浄器に関するものである。
【０００２】
【従来の技術】
従来から、放電により粉塵を帯電させる帯電部１０′と、帯電した粉塵を捕集するための集塵部と、帯電部１０′及び集塵部に空気を送る送風部とを備えた空気清浄器が知られている。上記構成により空気清浄器は、送風部から送られてきた空気中に含まれる粉塵を帯電部１０′で帯電させ、この帯電した粉塵を集塵部でクーロン力により電気的に集塵し、これにより室内空気中に含まれる粉塵や臭気等を除去して空気の清浄化を行っている。
【０００３】
上記空気清浄器の帯電部１０′は図１０に示すように放電部１８と対極部２２′とを有し、対極部２２′は図に示す電極枠１５′に支持されている。一方放電部１８は電極枠１５′に設けられた支持部材２０′を介して電極枠１５′に支持されており、上記により放電部１８及び対極部２２′は位置決めされて電極枠１５内に配設されることとなる。
【０００４】
しかしながら、上記放電部１８を接続する支持部材２０′は図に示すように密着した状態で電極枠１５に設けられているため、帯電部１０′に粉塵が堆積する等して洗浄する際に、電極枠１５′と支持部材２０′との間に水が溜まり易く、またこの電極枠１５′と支持部材２０′との間に入った水は揮発し難いため、洗浄後においても帯電部１０′内に水が残ってしまうという問題が生じる。また上記の支持部材２０′は導電性を有する金属で形成されており、放電部１８はこの支持部材２０′を介して高圧発生回路に接続されているのだが、このように支持部材２０′を導電性を有する金属で形成した場合、洗浄の際に電極枠１５′と支持部材２０′との間に入り込んだ水が原因となって支持部材２０′が錆びてしまうという問題が生じてしまう。
【０００５】
【発明が解決しようとする課題】
本発明は上記の点に鑑みてなされたものであり、その目的とするところは、帯電部を洗浄した際に帯電部内に水が溜まりにくく、また万が一水が溜まってしまったとしてもこの水をすぐに揮発させることができる空気清浄気を提供するものである。
【０００６】
【課題を解決するための手段】
上記課題を解決するために本発明に係る空気清浄器は、放電部１８と対極部２２とを有し、放電部１８から対極部２２への放電により粉塵を帯電させる帯電部１０と、帯電した粉塵を捕集するための集塵部１１と、帯電部１０及び集塵部１１に空気を送る送風部８とを備え、前記帯電部１０に放電部１８及び対極部２２とを支持するための電極枠１５を備えた空気清浄気１において、放電部１８を電極枠１５に設けた支持部材２０を介して支持し、該支持部材２０を支持部材２０と電極枠１５との間に隙間Ａができるように形成して成ることを特徴とするものである。
【０００７】
このように放電部１８を電極枠１５に設けた支持部材２０を介して支持し、該支持部材２０を支持部材２０と電極枠１５との間に隙間Ａができるように形成したことで、洗浄後に電極枠１５と支持部材２０の間に水が溜まり難くなり、また万が一隙間Ａに水が溜まったとしても、この溜まった水と空気との接触面積が大きいために、乾燥しやすく、すぐに水を揮発させることができる。また特に上記支持部材２０を導電性を有する金属で形成した場合、支持部材２０を錆び難くすることができる。
【０００８】
また請求項２記載の空気清浄器は、請求項１記載の空気清浄器において、上記帯電部１０の支持部材２０と電極枠１５との間に形成された隙間Ａの上流側に位置する箇所に空気流入孔４９を形成して成ることを特徴とするものである。
【０００９】
このように帯電部１０の支持部材２０と電極枠１５との間に形成された隙間Ａの上流側に位置する箇所に空気流入孔４９を形成したことで、送風部８によって送られた空気は空気流入孔４９から隙間Ａに入り込むこととなり、送風によってより一層隙間Ａに溜まった水を乾燥させることができる。
【００１０】
また請求項３記載の空気清浄器は、請求項２記載の空気清浄器において、上記帯電部１０の支持部材２０と電極枠１５との間に形成された隙間Ａの下流側に位置する箇所に空気流出孔５１を形成して成ることを特徴とするものである。
【００１１】
このように帯電部１０の支持部材２０と電極枠１５との間に形成された隙間Ａの下流側に位置する箇所に空気流出孔を形成することで、空気流入孔から隙間Ａに入り込んだ空気が抜け易くなり、これによってより一層隙間Ａに入り込んだ空気を乾燥させることができる。
【００１２】
【発明の実施の形態】
以下、本発明を添付図面に示す実施形態に基づいて説明する。
【００１３】
本実施形態における空気清浄器１は図２に示すように前面側が開口するハウジング２を有しており、このハウジング２の前面開口部を覆うようにしてカバー３が着脱自在に取り付けられている。カバー３はハウジング２の開口部を介してハウジング２内部と連通するように開口しており、このカバー３の開口部を覆うようにグリル４が着脱自在に設けられている。上記グリル４と、グリル４とカバー３との間の隙間、カバー３の前面下部には夫々吸込口５が形成されており、各吸込口５によりハウジング２内部と外部とが連通している。またハウジング２の天板後部には吐出口６が設けられている。
【００１４】
ハウジング２内部は前側のフィルタブロック７と後側の送風部８とに大別され、フィルタブロック７は前面がカバー３に覆われるようにハウジング２内部の前部に収納されている。またフィルタブロック７はハウジング２の開口部の内側に着脱自在に取付けられており、ハウジング２からカバー３を取り外してフィルタブロック７を取り出すことができる。
【００１５】
送風部８には図２に示すモータ１２が設置されると共にファン収納部１３が設けてあり、このファン収納部１３にシロッコファン１４が配置してある。しかしてシロッコファン１４が回転すると、前記空気清浄器１に設けた吸込口５からハウジング２外部の空気をハウジング２内に吸い込み、この吸い込んだ空気がフィルタブロック７に前面側から入り込み、フィルタブロック７の後面側から排出された後、シロッコファン１４を経て吐出口６からハウジング２上方に排出される。
【００１６】
フィルタブロック７について説明すると、フィルタブロック７は前から順にプレフィルタ９、粉塵を帯電させる帯電部１０、帯電した粉塵を捕集するための集塵部１１を構成しており、プレフィルタ９、帯電部１０、集塵部１１は夫々ハウジング２に着脱自在に取りつけられている。
【００１７】
帯電部１０は空気中の粉塵を帯電させる粉塵荷電手段を有しており、図１、図３、図４に示すようにハウジング２の前後方向に開口する矩形状の電極枠１５と、この電極枠１５の後側に配設された対向電極１７、前側に配設された放電電極１６とで主体を構成している。
【００１８】
対向電極１７は、図３に示すように一枚の導電性を有する鋼板のパンチングネットをプレス加工することにより形成されており、電極枠１５に着脱自在に取りつけられている。対向電極１９は複数の水平断面略コ字状の対極部２２を前向きに配置すると共に幅方向に複数配置し、この幅方向に隣り合う対極部２２の端部同士を接続板部２３にて連結して一体に形成されている。すなわち対向電極１９は図６に示すように複数の対極部２２を接続板部２３にて接続した角波状に形成されている。上記のように形成された対向電極１７には円形の空気通り孔２６が対向電極１７の全面に亘って複数設けられており、これにより帯電部１０前方から流れてきた空気は空気通り孔２６を介して集塵部１１に送られることとなる。
【００１９】
放電電極１６は導電性を有し且つ線形状を有する複数の放電線３９からなり、本実施形態においてはこの放電線３９として細いタングステン線或いはピアノ線を使用している。この放電電極１６、すなわち後述する複数の放電部１８は電極枠１５に設けた支持部材２０を介して電極枠１５に取付けられている。
【００２０】
支持部材２０は導電性を有する１枚の金属板を折り曲げることにより形成されており、その面は全て送風方向（前後方向）に沿うように電極枠１５に取付けられている。この支持部材２０は、下面が電極枠１５の底板４１上面に載置されると共に一側端部が電極枠１５の底板４１の片側に設けた短片用嵌め込み溝４６に嵌め込まれる短片４３と、短片４３の他側端部から上方に突出する立ち上げ片４４と、立ち上げ片４４の上端部から短片４３と反対側に延設されると共にその先端部が電極枠１５の底板４１の短片用嵌め込み溝４２と反対側に設けた長片用嵌め込み溝４５に嵌め込まれる長片４６とで構成される。ここで、電極枠１５の底板４１には上方に突出するリブ４７が幅方向に複数設けられており、前記長片４６はリブ４７に設けた長片支持溝４８によって支持されている。上記により支持部材２０は両端部が電極枠１５に固定されると共に支持部材２０の大部分を占める長片４６が電極枠１５の底板４１よりも上方に位置して離れることとなり、長片４６下面と電極枠１５の底板４１の上面との間に隙間Ａを形成することとなる。この隙間Ａは図１、図５に示すように前方、すなわち送風方向の上流側に向かって開口しており、空気流入孔４９を形成している。なお、上記では支持部材２０の両端部を電極枠１５に接続した例を示したが、支持部材２の片側端部のみ電極枠１５に取付けられていても良く、更に言うと支持部材２０の一部が電極枠１５に取付けられ、支持部材２０の大部分が電極枠１５との間に隙間Ａを形成するように取付けられていても良いものとする。
【００２１】
長片４６の上面には幅方向に複数切り上げられた接続部５０が設けられており、これら複数の接続部５０には放電線３９の両端部に連結されたコイルばね１９が引っ掛けられている。そして放電線３９の中央部は図１に示すように電極枠１５の上端部に引っ掛けられている。これによりＵ字状をした各放電線３９の上下方向を向いた２つの線状部分に放電部１８を形成し、すなわちこの放電部１８は送風方向と垂直な方向ロに保持されることとなる。なお、図中２１は各放電線３９の中央部の電極枠１５との接続部分に被せられたゴム製あるいは合成樹脂製の弾性及び絶縁性を有するチューブであり、電極枠１５から放電線３９に伝わる振動を吸収するものである。
【００２２】
短片４３の略中央部は下方に突出し、その下面は電極枠１５の底板４１に設けた開口より電極枠１５外部に露出してあり、この露出部分を後述する高圧接点２７と接触する接触部５０としている。
【００２３】
フィルタブロック７の前記接触部５０の下方には高圧発生回路（図示せず）に電気的に接続された高圧接点２７（図６参照）が配設されており、この高圧接点２７と支持部材２０の接触部５０とが一定の接触圧で接触することにより、放電電極１７と高圧発生回路とが電気的に接続され、放電電極１７に例えば＋６．５ｋＶの高電圧が印加される。またフィルタブロック７の高圧接点２７と反対側の片側下方には高圧発生回路の接地側に電気的に接続されたＧＮＤ接点２８（図７参照）が配設されており、このＧＮＤ接点２８と前述した対向電極１７とはＧＮＤばね４０を介して接続されている（図３参照）。すなわちＧＮＤばね４０が一定の接触圧を維持しながら対向電極１７と接触し、ＧＮＤ接点２８がＧＮＤばね４０と一定の接触圧で接触することで、対向電極１７がＧＮＤ接点２８に電気的に接続されることとなる。上記により帯電部１０収納時には自動的に放電電極１６と高圧接点２７、対向電極１７とＧＮＤ接点２８とが電気的に接続されることとなる。これにより高電圧を印加された放電電極１６の放電部１８から放電部１８の幅方向外側に位置する対向電極１７に向かって放電を起こし、帯電部１０は送風部８によって送られてきた空気中に含まれる粉塵をプラスに帯電させる。
【００２４】
集塵部１１は図８に示すように集塵部１１の最上流側に配置されると共に空気清浄器１内に吸い込まれた空気中に含まれる粉塵を捕集するための集塵フィルタ部２９と、集塵フィルタ部２９の下流側に位置すると共に空気清浄器１内に吸い込まれた空気の脱臭を行う脱臭フィルタ部３０とで主体を構成している。
【００２５】
脱臭フィルタ部３０は極細の繊維が配合されたろ材からなり、該脱臭フィルタ部３０には微細粒子化された微細脱臭剤３３がバインダにより接着されており、この微細脱臭剤３３により捕集した臭いを脱臭している。
【００２６】
集塵フィルタ部２９はハニカムコア３１と、ハニカムコア３１に充填された活性炭のような脱臭剤３２とからなり、脱臭剤３２をハニカムコア３１に充填することで脱臭剤３２のバラツキ、移動、偏りを防止している。
【００２７】
上記脱臭フィルタ部３０と集塵フィルタ部２９との間には空気を通す中敷きシート３４が設けられており、脱臭フィルタ部３０と集塵フィルタ部２９とを分離している。
【００２８】
また前記ハニカムコア３１の下流側には不織物で形成されたカバーリング材３５が熱溶着されており、つまりこのカバーリング材３５は集塵部１１の最下流部に配置されており、該カバーリング材３５は脱臭剤３２の漏れ、バラツキ、移動、偏りを防止している。
【００２９】
上記フィルタブロック７の構成により、吸込口５から送られてきた空気は、まずプレフィルタ７で空気中に含まれる大きな粉塵が捕集され、その後帯電部１０で小さな粉塵をプラスに帯電させ、このプラスに帯電した粉塵が分極帯電した集塵部１１の集塵フィルタ部２９にクーロン力で引き寄せられて捕集される。集塵フィルタ部２９で粉塵を捕集された空気はその下流側にある脱臭フィルタ部３０で臭気が除去され、浄化・無臭化された空気がハウジング２外部に排出される。
【００３０】
ところで、上記空気清浄器１の帯電部１０は長期間使用した場合、帯電部１０に吸い込まれた粉塵が堆積してしまうため、約半年〜１年の周期で水洗い等の洗浄を行わなけばならないのだが、本実施形態においては前述したように放電部１８を電極枠１５に設けた支持部材２０を介して支持し、該支持部材２０を支持部材２０と電極枠１５との間に隙間Ａができるように形成したことで、洗浄後に電極枠１５と支持部材２０の間に水が溜まり難くなり、また万が一隙間に水が溜まったとしても、この溜まった水と空気との接触面積が大きいために、乾燥しやすく、洗浄後すぐに水を揮発させることができる。また隙間Ａを形成しているので、支持部材２０と電極枠１５間に付着した水を布等で拭き取ることもできる。また特に上記のように支持部材２０を導電性を有する金属板で形成した場合、支持部材２０を錆び難くすることができ、またこの場合、支持部材２０は放電部１８を支持すると共に放電部１８と高圧発生回路とを電気的に接続しており、放電部を高圧発生回路に電気的に接続する他の部材が必要なく部品点数の削減になる。
【００３１】
また、帯電部１０の支持部材２０と電極枠１５との間に形成された隙間Ａの上流側に位置する箇所に空気流入孔４９を形成したことで、送風部８によって送られた空気は空気流入孔４９から隙間Ａに入り込むこととなり、送風によってより一層隙間Ａに溜まった水を乾燥させることができる。
【００３２】
また、図９に示すように上記帯電部１０の支持部材２０と電極枠１５との間に形成された隙間Ａの下流側に位置する箇所に空気流出孔５１を形成することも好ましい。すなわち、図に示すようにリブ４７の長片支持溝４８を後端部がリブ４７の後端部よりもやや前方に位置するように形成し、支持部材２０の後端部とリブ４７の後端部との間に上方に開口する空気流出孔５１を形成している。
【００３３】
上記により送風部８によって送られた空気は空気流入孔４９から入った後、図に示すように空気流出孔５１から下流側に位置する対極部へと流れることとなり、これによって帯電部１０の支持部材２０と電極枠１５との間に形成された隙間Ａの下流側に位置する箇所に空気流出孔を形成することで、空気流入孔から隙間Ａに入り込んだ空気が抜け易くなり、より一層隙間Ａに入り込んだ空気を乾燥させることができる。
【００３４】
【発明の効果】
上記のように本発明の請求項１記載の発明にあっては、放電部を電極枠に設けた支持部材を介して支持し、該支持部材を支持部材と電極枠との間に隙間ができるように形成したことで、洗浄後に電極枠と支持部材の間に水が溜まり難くなり、また万が一隙間に水が溜まったとしても、この溜まった水と空気との接触面積が大きいために、乾燥しやすく、すぐに水を揮発させることができる。また特に上記支持部材を導電性を有する金属で形成した場合、支持部材を錆び難くすることができるものである。
【００３５】
また請求項２記載の発明にあっては、上記請求項１記載の発明の効果に加えてので、帯電部の支持部材と電極枠との間に形成された隙間の上流側に位置する箇所に空気流入孔を形成したことで、送風部によって送られた空気は空気流入孔から隙間に入り込むこととなり、送風によってより一層隙間に溜まった水を揮発させることができるものである。
【００３６】
また請求項３記載の発明にあっては、上記請求項２記載の発明の効果に加えて帯電部の支持部材と電極枠との間に形成された隙間の下流側に位置する箇所に空気流出孔を形成することで、空気流入孔から隙間に入り込んだ空気が抜け易くなり、これによってより一層隙間に入り込んだ水を揮発させることができるものである。
【図面の簡単な説明】
【図１】本発明の実施形態の一例を示す空気清浄器の帯電部を示す正面図である。
【図２】同上の空気清浄器の側断面図である。
【図３】同上の帯電部の背面図である。
【図４】同上の帯電部の水平断面図である。
【図５】同上の帯電部の要部拡大側断面図である。
【図６】同上の高圧接点部分を示す側断面図である。
【図７】同上のＧＮＤ接点部分を示す側断面図である。
【図８】同上の集塵部を示す断面図である。
【図９】同上の帯電部に空気流出孔を設けた例を示す要部拡大側断面図である。
【図１０】従来の空気清浄器の帯電部を示すものであり、（ａ）は正面図、（ｂ）は側面図である。
【符号の説明】
Ａ　　隙間
８　　送風部
１０　帯電部
１１　集塵部
１５　電極枠
１８　放電部
２２　対極部
２０　支持部材
【図１】
2004016943.tif 000003
【図２】
2004016943.tif 000004
【図３】
2004016943.tif 000005
【図４】
2004016943.tif 000006
【図５】
2004016943.tif 000007
【図６】
2004016943.tif 000008
【図７】
2004016943.tif 000009
【図８】
2004016943.tif 000010
【図９】
2004016943.tif 000011
【図１０】
2004016943.tif 000012